(57)【特許請求の範囲】
【請求項１】
一枚のシートを複数回折り曲げることにより、外周の側壁間に上下に複数の平面部が形成され、
該複数の平面部のうち、上下中間の平面部を底面として上方に開口した収納凹部が形成される梱包用トレイであって、
上記収納凹部を形成する底面には、略Ｔ字形の差込用孔が形成され、
上記収納凹部の側面の１つを構成する仕切板の底辺には、複数段に突出し、上記差込用孔に差し込まれる差込突部が形成されている
ことを特徴とする梱包用トレイ。
【請求項２】
請求項１に記載の梱包用トレイであって、
上記仕切板を折り曲げて収納凹部の側面とするときに、差込突部の先端部が上記差込用孔の直線部内を通過し、差込位置では、該差込突部の中間部が上記直線部に垂直な垂直部に差し込まれて抜け止めされるように構成されている
ことを特徴とする梱包用トレイ。
【請求項３】
請求項２に記載の梱包用トレイであって、
上記差込突部の先端部は、上記直線部の幅よりも幅が狭く、中間部は、該直線部の幅よりも太く、かつ垂直部の長さよりも短い
ことを特徴とする梱包用トレイ。
【請求項４】
請求項３に記載の梱包用トレイにおいて、
上記仕切板が折り曲げられて収納凹部の側面となったときに、上記中間部が上記垂直部に差し込まれると共に、該仕切板の底辺が上記収納凹部底面に当接している
ことを特徴とする梱包用トレイ。
【請求項５】
請求項１乃至４のいずれか１つに記載の梱包用トレイにおいて、
上記差込用孔及び仕切板は、上記収納凹部に複数組設けられている
ことを特徴とする梱包用トレイ。
【請求項６】
請求項１乃至５のいずれか１つに記載の梱包用トレイにおいて、
上記収納凹部には、携帯電話機が収納される
ことを特徴とする梱包用トレイ。
【発明の詳細な説明】
【技術分野】
【０００１】
携帯電話機などの電子機器を梱包するための梱包用トレイであって、特にその輸送時の落下や振動対策に関する。
【背景技術】
【０００２】
従来より、梱包関係においては環境負荷を減らすために、段ボールのような容易にリサイクルできる材料を使用し、梱包材料や接着剤をできるだけ使用しないようにしている。      
【０００３】
例えば、特許文献１は、一枚の段ボールを複雑に折り曲げ、孔に差込み口を挿入することにより結合し、接着剤の使用を避けたり、ステップル等の金属での結合を避けている。また、商品の梱包に使用する商品保護枠として、未使用時の折畳み形態から使用時の製品収容凹所を備える箱枠形態になるように、簡単な操作で容易に組み立てることができ、かつ箱枠形態での剛性が大きく形態安定性に優れ、商品を適度な緩衝状態で確実に固定でき、また商品が複数の製品パーツを１セットにしたものであっても、各製品パーツに対応した大きさの異なる複数の製品収容凹所を簡単に構成できるものとなっている。
【特許文献１】特開２００６−１６０４０公報
【発明の開示】
【発明が解決しようとする課題】
【０００４】
しかしながら、特許文献１は、製品収容凹所に電子機器等の製品を収納した状態で落下等の衝撃が加わると、上下両側から仕切板で狭持されているものの、仕切板の差込量が十分とはいえないので、製品が仕切板に衝突して仕切板が差込孔から外れ、製品が仕切板を越えるおそれがある。
【０００５】
本発明は、かかる点に鑑みてなされたものであり、その目的とするところは、梱包用トレイを、組立が極めて容易で落下や振動に強いものとすることを目的とする。
【課題を解決するための手段】
【０００６】
上記目的を達成するために第１の発明では、一枚のシートを複数回折り曲げることにより、外周の側壁間に上下に複数の平面部が形成され、
該複数の平面部のうち、上下中間の平面部を底面として上方に開口した収納凹部が形成される梱包用トレイを対象とする。
【０００７】
そして、上記梱包用トレイにおいて、
上記収納凹部を形成する底面には、略Ｔ字形の差込用孔が形成され、
上記収納凹部の側面の１つを構成する仕切板の底辺には、複数段に突出し、上記差込用孔に差し込まれる差込突部が形成されている。
【０００８】
上記の構成によると、仕切板を折り曲げるときには、複数段に突出形成された差込突部の先端部が差込用孔のＴ字形の直線部分を通過するので、先端部を長くしても組立が容易である。また、差込突部の中間の段が差込用孔に差し込まれた状態で、側壁の底辺が差込用孔周縁に当接するので、差込突部がさらに奥に入り込むことはない。差込後は、先端部が差込用孔の奥まで差し込まれているので、製品を梱包した状態で落下や振動により外力が加わっても、差込突部が差込用孔から容易に外れない。
【０００９】
第２の発明では、第１の発明において、
上記仕切板を折り曲げて収納凹部の側面とするときに、差込突部の先端部が上記差込用孔の直線部内を通過し、差込位置では、該差込突部の中間部が上記直線部に垂直な垂直部に差し込まれて抜け止めされるように構成されている。
【００１０】
上記の構成によると、仕切板を折り曲げるときには、差込突部の先端部が差込用孔の直線部内を通過するので、組立が容易である。また、差込突部の中間部が垂直部に挿入され、その周縁部に当接して抜け止めされる。さらに、仕切板の底辺が収納凹部の底面に当接する。このため、製品を梱包した状態で落下や振動により外力が加わっても、先端部が奥まで入り込んでいるので、差込突部が差込用孔から容易に外れない。
【００１１】
第３の発明では、第２の発明において、
上記差込突部の先端部は、上記直線部の幅よりも幅が狭く、中間部は、該直線部の幅よりも太く、かつ垂直部の長さよりも短い。
【００１２】
上記の構成によると、差込突部の先端部の幅は直線部の幅よりも細いので、仕切板を折り曲げるときに差込突部の先端部が容易に差込用孔の直線部内を通過する。また、差込突部の中間部は、直線部の幅よりも太く、かつ垂直部の長さよりも短いので、垂直部に挿入された後、抜け止めされる。このため、製品を梱包した状態で落下や振動により外力が加わっても、先端部が奥まで入り込んでいるので、差込突部が差込用孔から外れることはない。
【００１３】
第４の発明では、第３の発明において、
上記仕切板が折り曲げられて収納凹部の側面となったときに、上記中間部が上記垂直部に差し込まれると共に、該仕切板の底辺が上記収納凹部底面に当接している。
【００１４】
上記の構成によると、仕切板は、垂直部の遊び分だけ傾斜可能であるが、先端部が垂直部の奥へ差し込まれているので、仕切板が差込用孔から外れることはない。
【００１５】
第５の発明では、第１乃至第４の発明のいずれか１つにおいて、
上記差込用孔及び仕切板は、上記収納凹部に複数組設けられている。
【００１６】
上記の構成によると、収納凹部を外周側壁の角部に設けず、対向する側壁を仕切板とするときにも、組立が容易である。
【００１７】
第６の発明では、第１乃至第５の発明のいずれか１つにおいて、
上記収納凹部には、携帯電話機が収納される。
【００１８】
すなわち、携帯電話機は、携帯電話機本体だけでなく、付属部品であるケーブル、電装品、電池等も梱包される。特に比重の大きい携帯電話機本体は、落下や振動による外力を受けて仕切板を越えやすいが、本発明の構成により、仕切板が外れることはないので、携帯電話機の運搬が容易である。
【発明の効果】
【００１９】
以上説明したように、本発明によると、一枚の段ボールを複数回折り曲げ、収納凹部の底面に設けた差込用孔に複数段に突出した差込突部を挿入することにより、仕切板を確実に固定するようにした。このため、組立が極めて容易で、落下、振動に強い梱包用トレイが得られる。
【発明を実施するための最良の形態】
【００２０】
以下、本発明の実施形態を図面に基づいて説明する。
【００２１】
図１及び図２は本発明の実施形態の梱包用トレイ１を示し、図３に折り畳む前の段ボールシート２を示す。
【００２２】
梱包用トレイ１は、一枚の段ボールシート２を複数回折り曲げることにより、直方体状に組み立てられる。具体的には、梱包用トレイ１は、外周を囲む第１〜第４側壁３，４，５，６と、上下に並んだ第１〜第３平面部７，８，９とを有する。
【００２３】
第１側壁３及び第３側壁５は、梱包用トレイ１の幅方向を塞ぐもので、先端にそれぞれ折り込み用のフラップ部３ａ，５ａを備えている。フラップ部３ａ，５ａは、梱包用トレイ１の幅方向に延びる幅方向折曲線３１で折り曲げ可能となっている。第２側壁４は、梱包用トレイ１の底面を構成する第３平面部９に連続し、この第３平面部９は、糊付用のフラップ部９ａを備えている。第４側壁６は、第２平面部８に連続している。第２側壁４と第３平面部９、第３平面部９とそのフラップ部９ａ及び第４側壁６と第２平面部８の間には、それぞれ折り曲げやすいようにＨ形のスリット３０が複数加工されている。スリット３０のないところには、長手方向に延びる長手方向折曲線３２が形成されている。
【００２４】
上記第１〜第３平面部７，８，９のうち、上下中間の第２平面部８を底面として上方に開口した収納凹部１０が形成されている。この収納凹部１０には、携帯電話機本体５０が収納されるようになっている。つまり、第２平面部８は、携帯電話機本体５０が収納状態でぐらつかないように、上げ底になっている。
【００２５】
上記収納凹部１０を形成する第２平面部８には、一対の略Ｔ字形の差込用孔１１が向かい合うように形成されている。差込用孔１１は、梱包用トレイ１の長手方向に平行なＴ字形の直線部１１ａと、直線部１１ａに垂直な垂直部１１ｂとからなる。直線部１１ａは、先端が丸く形成され、垂直部１１ｂは略矩形に形成されている。
【００２６】
上記収納凹部１０の側面を構成する一対の仕切板１２の底辺１２ａには、複数段に突出し、上記差込用孔１１に差し込まれる差込突部１３が形成されている。差込突部１３の先端部１３ａは、直線部１１ａの幅よりも幅が狭く、中間部１３ｂは、直線部１１ａの幅よりも太く、かつ垂直部１１ｂの長さよりも短くなっている。このことで、仕切板１２を幅方向折曲線３１に沿って折り曲げて収納凹部１０の側面とするときに、差込突部１３の先端部１３ａが差込用孔１１の直線部１１ａ内を通過し、差込位置では、差込突部１３の中間部１３ｂが直線部１１ａに垂直な垂直部１１ｂに差し込まれて抜け止めされるように構成されている。また、仕切板１２の底辺１２ａは、このとき第２平面部８に当接している。
【００２７】
第２平面部８に連続する収納凹部１０の凹部長手方向側壁１０ａは、下端に起立部１０ｂが切り込まれ、組み立てられたときに、その起立部１０ｂ先端が第３平面部９に当接するようになっている。
【００２８】
梱包用トレイ１は、収納凹部１０に並んで、付属部品であるケーブル、電装品、電池等が梱包される付属品収容部２０を備えている。この付属品収容部２０の底面は、最も低い第３平面部９で構成されている。付属品収容部２０の収容部長手方向側壁２０ａは、糊付部２０ｂを介して凹部長手方向側壁１０ａに連続し、下端に一対の切込部２０ｃを備えている。この切込部２０ｃには、第１平面部７に連続して付属品収容部２０の側壁を構成する収容部幅方向側壁２０ｄが幅方向折曲線３１で折り曲げられた起立状態で差し込まれるようになっている。
【００２９】
−梱包用トレイ１の組立手順−
次に、本実施形態にかかる梱包用トレイ１の組立手順について説明する。
【００３０】
まず、一枚の段ボールシート２を図３に示す展開図のように切り抜き、スリット３０及び幅方向折曲線３１及び長手方向折曲線３２を形成する。このとき、差込用孔１１、仕切板１２、差込突部１３、起立部１０ｂ、切込部２０ｃ等も切り込み加工しておく。
【００３１】
次いで、第４側壁６及び糊付部２０ｂに糊を塗布しておく。
【００３２】
次いで、長手方向折曲線３２に沿って順次段ボールシート２を折り曲げる。すると、糊を塗布した第４側壁６とフラップ部９ａとが貼り付けられ、糊付部２０ｂと第１平面部７裏面とが貼り付けられる。この状態で段ボールシート２は、幅方向に折り畳み可能となり、折り畳んで第１〜第３平面部７，８，９が重なった状態の段ボールシート２を商品梱包場所に運搬すると、かさが減って運搬しやすい。
【００３３】
次いで、一対の仕切板１２を幅方向折曲線３１に沿って折り曲げる。仕切板１２を折り曲げるときには、複数段に突出形成された差込突部１３の先端部１３ａが差込用孔１１のＴ字形の直線部１１ａを通過するので、先端部１３ａを長くしても組立が容易である。また、差込突部１３の中間の段である中間部１３ｂが差込用孔１１に差し込まれた状態で、側壁の底辺１２ａが収納凹部１０の凹部底面（第２平面部８）の差込用孔１１周縁に当接するので、差込突部１３がさらに奥に入り込むことはない。差込後は、先端部１３ａが差込用孔１１の奥まで差し込まれているので、製品を梱包した状態で落下や振動により外力が加わっても、差込突部１３が差込用孔１１から容易に外れない。
【００３４】
仕切板１２は、垂直部１１ｂの幅で決まる遊び分だけ傾斜可能であるが、先端部１３ａが垂直部１１ｂの奥へ差し込まれているので、仕切板１２が差込用孔１１から外れることはない。
【００３５】
最後に第１側壁３のフラップ部３ａ及び第３側壁５のフラップ部５ａを第３平面部９側に差し込んで梱包用トレイ１の組立が完了する。
【００３６】
この状態で、図４に示すように、収納凹部１０に携帯電話機本体５０を挿入し、付属品収容部２０に付属品を収容する。この後、外箱５１に挿入し、外箱５１の第１フラップ部５１ａを折り込んだ上で取扱説明書５２等が収納され、第２フラップ部５１ｂで蓋をすることで携帯電話機の梱包作業が完成する。
【００３７】
このとき、携帯電話機は、携帯電話機本体５０のように比重の大きいものが、落下や振動により外力を受けて仕切板１２に衝撃を与えやすいが、差込突部１３の作用により、仕切板１２が外れることはないので、携帯電話機等の運搬が容易である。
【００３８】
−実施形態の効果−
したがって、本実施形態にかかる梱包用トレイ１によると、一枚の段ボールを複数回折り曲げ、収納凹部１０の底面に設けた差込用孔１１に複数段に突出した差込突部１３を挿入することにより、仕切板１２を確実に固定するようにした。このため、組立が極めて容易で、落下、振動に強い梱包用トレイ１が得られる。
【００３９】
（その他の実施形態）
本発明は、上記実施形態について、以下のような構成としてもよい。
【００４０】
すなわち、上記実施形態では、差込用孔１１及び仕切板１２は、上記収納凹部１０に一対設けたが、収納凹部を外周側壁の角部に設けた場合には、角部と反対側にのみ仕切板１２としてもよい。
【００４１】
上記実施形態では、収納凹部１０に携帯電話機本体５０を挿入したが、これに限定されず、ＰＨＳ、ＰＤＡ、ＰＣ、モバイルツール、電子辞書、電卓、複写機等幅広い用途がある。
【００４２】
なお、以上の実施形態は、本質的に好ましい例示であって、本発明、その適用物や用途の範囲を制限することを意図するものではない。
【図面の簡単な説明】
【００４３】
【図１】本発明の実施形態にかかる梱包用トレイの斜視図である。
【図２】梱包用トレイの平面図である。
【図３】組立前の梱包用トレイの展開図である。
【図４】梱包用トレイを外箱に挿入した様子を示す斜視図である。
【図５】梱包用トレイを挿入後、取扱説明書を挿入する様子を示す斜視図である。
【符号の説明】
【００４４】
１      梱包用トレイ
２      段ボールシート（シート）
３      第１側壁
４      第２側壁
５      第３側壁
６      第４側壁
７      第１平面部
８      第２平面部
９      第３平面部
１０      収納凹部
１１      差込用孔
１１ａ    直線部
１１ｂ    垂直部
１２      仕切板
１２ａ    底辺
１３      差込突部
１３ａ    先端部
１３ｂ    中間部
５０      携帯電話機本体
【図１】
0004963657.tif 000002
【図２】
0004963657.tif 000003
【図３】
0004963657.tif 000004
【図４】
0004963657.tif 000005
【図５】
0004963657.tif 000006